(57)【特許請求の範囲】
【請求項１】
互いに連結される一方のコンクリートブロックに回動自在に埋設される円柱状支持部と、前記円柱状支持部の円周面にその基端側が軸支されて取り付けられる回動軸部と、回動される前記回動軸部の先端側に螺着され他方のコンクリートブロックの掛止受部に掛止されるナットなどの掛止部とを備えたことを特徴とするコンクリートブロック連結用部材。
【請求項２】
請求項１のコンクリートブロック連結用部材を用いて、それぞれの連結面を互いに当接させて連結したコンクリートブロックＡ、Ｂの連結構造であって、
該コンクリートブロックＡ、Ｂは、
それらの連結面に対して垂直となる露出面側と前記連結面側とにそれぞれ開口して形成された回動軸部挿通溝を有するとともに、
コンクリートブロックＡは、
その回動軸部挿通溝に連通してその端側に設けられた円柱状空洞部内に、
前記コンクリートブロック連結用部材の円柱状支持部を所定の間隔を有して回動自在に埋設し、
コンクリートブロックＢは、
その回動軸部挿通溝に連通して露出面側に回動軸部挿通溝の幅より大きく開口したコンクリートブロック連結用部材の掛止部が掛止される掛止受部を形成し、
前記回動軸部を回動させてコンクリートブロックＡ、Ｂのそれぞれの回動軸部挿通溝に挿入してその先端側の掛止部を掛止受部に掛止させて連結することを特徴とするコンクリートブロックの連結構造。
【請求項３】
前記掛止受部が前記コンクリートブロックＢに開口した箱状空洞部を有し、前記掛止部が当接される前記箱状空洞部の内側壁が奥側に広がって傾斜配置されていることを特徴とする請求項２に記載のコンクリートブロックの連結構造。
【請求項４】
前記コンクリートブロックが、側溝である請求項２又は３に記載のコンクリートブロックの連結構造。
【請求項５】
前記コンクリートブロックが、護岸ブロックである請求項２又は３に記載のコンクリートブロックの連結構造。
【請求項６】
請求項２〜５のいずれかに記載のコンクリートブロックの連結構造を有したコンクリートブロックＡの製造方法であって、
コンクリートブロックＡを形成させる型枠内に、型枠面の２面にそれぞれの一端側が当接された矩形状型枠を配置すると共に、前記矩形状型枠に連接された他端側に被覆層を表面に形成した円柱状支持部を配置し、生コンクリートを前記型枠内に鋳込んで硬化させることを特徴とするコンクリートブロックの製造方法。
【発明の詳細な説明】
【０００１】
【発明の属する技術分野】
本発明は建築物の基礎や壁部、側溝、護岸ブロックなどに用いられるコンクリートブロック同士を連設するコンクリートブロック連結用部材及びコンクリートブロックの連結構造並びに連結構造を有したコンクリートブロックの製造方法に関する。
【０００２】
【従来の技術】
従来、鉄筋コンクリート等の構造物は、現場以外で製造したコンクリートブロックを複数連接させて構成される場合があり、このコンクリートブロック同士を接合させる方法として、例えば以下のような技術が知られている。
（１）特開平６−２８７９６３号公報には、基台部と、該基台部に所定の高さで突設された立ち上げ部との側端部に配設される基礎用コンクリートブロックの連設用ジョイント部材であって、凸部を有する第１のジョイント部材を隣接する一方の基礎用コンクリートブロックに配設し、前記凸部と嵌合可能な形状の凹部を有する第２のジョイント部材を他方の基礎用コンクリートブロックに配設して、第１のジョイント部材の凸部を第２のジョイント部材の凹部に嵌合させる接合手段により両者を密接固定するようにした基礎用コンクリートブロックの連設用ジョイント部材が記載されている。
（２）特開平９−１８３０６９号公報には、コンクリート等のブロック相互がその端面で接合され、ブロックの側面に設けられたフランジ部にボルトを挿通して該フランジ部から突出したボルトの先端のナットをラチェット等の締付け工具で締付けるようにしたものが記載されている。
（３）特開２０００−３３６６６２号公報には、基礎ブロックの端部同士が、平面視して相じゃくりによって接合され、相じゃくりによって接合された端部同士は、当該相じゃくりの接合面に直交する方向を軸方向とするボルトで接合固定されるようにした基礎ブロックの連結構造が記載されている。
【０００３】
【発明が解決しようとする課題】
しかしながら、上記従来の技術は以下のような課題を有していた。
（１）前記特開平６−２８７９６３号公報に記載のジョイント部材では、施工時におけるブロック間の位置合わせが容易になるものの、互いに隣接するコンクリートブロック同士を強固に結合するには別に締付け手段などを必要とし、しかも、強度面や外観上の制約により適用できる個所が限定され、汎用性に乏しいという課題があった。
（２）前記特開平９−１８３０６９号公報に記載のコンクリートブロックのフランジ部にボルトを挿通してこのボルトを介して両ブロック間を締付けて接合するようにしたものでは、ボルト挿通孔が外から目視できないので、両ブロック間の位置合わせが困難でその調整に手間取り、作業性に欠けるという課題があった。（３）前記特開２０００−３３６６６２号公報に記載の相じゃくり接合された両ブロックをボルトにより締結するようにした基礎ブロックの連結構造では、接合部の構造が複雑となって汎用性に欠ける上、有効肉厚などが不足して構造体として必要な強度を維持させるのが困難になる場合がある等の課題があった。
本発明は上記課題を解決するためになされたもので、施工時におけるブロック間の位置合わせが容易であり作業性に優れ、強度面や外観上の制約が少なく、構造体として必要な強度を維持させることができるコンクリートブロック連結用部材を提供すると共に、コンクリートブロックの連結構造とその製造方法を提供することを目的とする。
【０００４】
【課題を解決するための手段】
本発明の請求項１に記載のコンクリートブロック連結用部材は、互いに連結される一方のコンクリートブロックに回動自在に埋設される円柱状支持部と、前記円柱状支持部の円周面にその基端側が軸支されて取り付けられる回動軸部と、回動される前記回動軸部の先端側に螺着され他方のコンクリートブロックの掛止受部に掛止されるナットなどの掛止部とを備えて構成されている。
これによって、回動軸部を回動させて、他方のコンクリートブロックの掛止受部にその掛止部を掛止させることができ、施工時におけるブロック間の位置合わせを容易にして作業性に優れる。また、円柱状支持部がコンクリートブロック内に埋設されるので、強度面や外観上の制約が少なく構造体として必要な強度を維持させることができる。
ここで、円柱状支持部はステンレススチールなどの金属で形成されたものが強度向上の点で好ましいが、本発明ではその材質を特定するものではない。例えばポリカーボネイトなどのプラスチックなども用いることができる。また、その形状も、その内部に中空部を有した円筒状のものも適用でき、回動自在な形状であれば、本発明の円柱状形状は卵形、球形、そろばん玉形などの断面が円形のものを含むものである。
回動軸部としてはステンレススチールなどの金属で形成されたものが強度向上の点で好ましいが、本発明ではその材質を特定するものではない。例えばポリカーボネイトなどのプラスチックなども用いることができる。また、その基端側が円柱状支持部の円周面に螺着又は溶接などにより固定されている。なお、回動軸部を円柱状支持部に螺着させる場合は、回動軸部は棒状体の少なくとも両端側を螺子切り加工して製造することができる。
【０００５】
請求項２に記載のコンクリートブロックの連結構造は、請求項１のコンクリートブロック連結用部材を用いて、それぞれの連結面を互いに当接させて連結したコンクリートブロックＡ、Ｂの連結構造であって、該コンクリートブロックＡ、Ｂは、それらの連結面に対して垂直となる露出面側と前記連結面側とにそれぞれ開口して形成された回動軸部挿通溝を有するとともに、コンクリートブロックＡは、その回動軸部挿通溝に連通してその端側に設けられた円柱状空洞部内に、前記コンクリートブロック連結用部材の円柱状支持部を所定の間隔を有して回動自在に埋設し、
コンクリートブロックＢは、その回動軸部挿通溝に連通して露出面側に回動軸部挿通溝の幅より大きく開口したコンクリートブロック連結用部材の掛止部が掛止される掛止受部を形成し、前記回動軸部を回動させてコンクリートブロックＡ、Ｂのそれぞれの回動軸部挿通溝に挿入してその先端側の掛止部を掛止受部に掛止させて連結することを特徴とする。
この構成によって、以下の作用を有する。
（ａ）コンクリートブロックＡ、Ｂにそれぞれ回動軸部挿通溝が設けられ、回動軸部がコンクリートブロックＡに埋設された円柱状支持部を支点として回動できる。従って、コンクリートブロックＡ、Ｂのそれぞれの連結面を互いに当接させて、回動軸部を回動させることにより掛止部が螺着された回動軸部の先端側をコンクリートブロックＢの掛止受部に押し入れて掛止させた後、掛止部を回転させて掛止部と円柱状支持部間の距離を狭めて締めることでコンクリートブロックＡ、Ｂを互いに強固に締結できる。
（ｂ）円柱状支持部及び回動軸部、掛止部からなるコンクリートブロック連結用部材がすべてコンクリートブロックＡ、Ｂ内に収納されるので、外部に開口した部分の面積を少なくでき、外観が損なわれたり、ごみなどが堆積したりするのを防止できる。
（ｃ）予め、コンクリートブロック連結用部材がコンクリートブロック内に配置されているので、現場におけるコンクリートブロック同士の連結作業を迅速に行なうことができる。なお、前記コンクリートブロックは、側溝などの特定の目的のために所定の形状を有するコンクリート製品も含むものである。
（ｄ）なお、コンクリートブロックＡ、Ｂの組合せを多数個連結させることにより、長尺のコンクリートブロック壁を形成させることができる。また、コンクリートブロックを上下に連結させることにより多段のコンクリートブロック壁を形成させることができる。さらに、コンクリートブロックを横方向、縦方向を組み合わせて連結させることにより、広面積のコンクリートブロック壁を形成することができる。
この場合は、コンクリートブロックＡの反対側連結面には、コンクリートブロックＢが有する回動軸部挿通溝及び掛止受部を形成しておき、コンクリートブロックＢの反対側連結面には、コンクリートブロックＡが有する回動軸部挿通溝、円筒状支持部を形成しておく必要がある。
【０００６】
請求項３に記載のコンクリートブロックの連結構造は、請求項２に記載の発明において、前記掛止受部が前記コンクリートブロックＢに開口した箱状空洞部を有し、前記掛止部が当接される前記箱状空洞部の内側壁が奥側に広がって傾斜配置されて構成されている。
箱状空洞部の内側壁が奥側に広がって傾斜配置されているので、内側壁に当接して掛止されるナット等の掛止部が回動軸部で引かれた時に、奥側に移動するように力が作用して手前側に外れるようなことがなく、コンクリートブロック同士の連結構造をより確実に保持させることができる。
なお、本請求項のコンクリートブロックの連結構造も前記（ｄ）で説明したのと同じように、多数のコンクリートブロックを連結した連結構造を形成することができる。
【０００７】
請求項６に記載のコンクリートブロックの製造方法は、請求項２〜５のいずれかに記載のコンクリートブロックＡの連結構造を有したコンクリートブロックの製造方法であって、コンクリートブロックＡを形成させる型枠内に、型枠面の２面にそれぞれの一端側が当接された矩形状型枠を配置すると共に、前記矩形状型枠に連接された他端側に被覆層を表面に形成した円柱状支持部を配置し、生コンクリートを前記型枠内に鋳込んで硬化させるように構成されている。この構成によって以下の作用を有する。
（ａ）生コンクリートを硬化させた後、合成樹脂製等で形成した矩形状型枠を引き出したり燃やしたりあるいは破砕したりして取り外すことができ、これによって、連結構造を構成するコンクリートブロック同士を連結させるための回動軸部が挿入される回動軸部挿通溝を容易に形成させることができる。
（ｂ）円柱状支持部に、グリス等の被覆層が形成されているので、コンクリートとの密着を防止でき、その周囲が埋設された円柱状支持部を回動させることができ、この円柱状支持部に回動軸部を軸支させて、回動軸部の先部に掛止部を設けてこれを他方のコンクリートブロックに形成した掛止受部に掛止させてコンクリートブロックの連結構造を形成させることができる。
【０００８】
【発明の実施の形態】
（実施の形態１）
本発明の実施の形態１のコンクリートブロック連結用部材を用いたコンクリートブロックの連結構造について説明する。
図１は実施の形態１のコンクリートブロック連結用部材の平面図である。
図１において、１０は本実施の形態１のコンクリートブロック連結用部材、１１は互いに連結される一方のコンクリートブロックＡに回動自在に埋設されるステンレスなどからなる円柱状支持部、１２は円柱状支持部１１の円周面上の中央部にその基端側が軸支されて取り付けられる回動軸部、１３は回動される回動軸部１２の先端側に螺着され他方のコンクリートブロックＢの掛止受部に掛止されるナットなどの掛止部である。
円柱状支持部１１はスチール製の高さが例えば５〜２０ｃｍ程度、直径が例えば３〜１０ｃｍ程度の円柱状又は円筒状部材であって、その表面に、グリス、グリセリン、コールタール、油、ポリエチレン、ポリスチレン等の薄い被覆層が形成されているので、コンクリートブロック中に鋳込まれた場合においてもコンクリートとの密着が防止され、その周囲にコンクリートとの隙間を確保できている。前記被覆層の形成により、コンクリートブロック中に円柱状支持部１１を鋳込んだ際にも、円柱状支持部１１がコンクリートとの密着が防止され、前記被覆層が潤滑作用をはたし、円柱状支持部１１の回動が可能になっている。
また、円柱状支持部１１のほぼ中央部にスチール製などの棒状に形成された回動軸部１２の基端部１２’が溶接手段又は螺着手段により取り付けられる。
【０００９】
図２（ａ），（ｂ）は実施の形態１のコンクリートブロックの連結構造の、それぞれ正面図、及び正面図におけるＸ−Ｘ断面矢視図である。
図２において、２０はコンクリートブロック連結用部材１０を用いたコンクリートブロックの連結構造を示し、２１はコンクリートブロックＡ、Ｂの連結面、２２、２３は連結面２１に対して垂直となるコンクリートブロックＡ、Ｂの露出面、２４、２５はコンクリートブロックＡ、Ｂのそれぞれに形成された空洞であり、連結面２１側と露出面２３、２４側とにそれぞれ開口して形成された回動軸部挿通溝、２６はコンクリートブロックＡの回動軸部挿通溝２４に連通してその端側に設けられ円柱状支持部１１が所定の間隔を有して配置される円柱状空洞部、２７はコンクリートブロックＢに形成された空洞であり、回動軸部挿通溝２５に連通して露出面２３側に開口して形成され回動軸部１２の掛止部１３が掛止される掛止受部である。
このように、コンクリートブロックＡには、連結面２１と露出面２２とに向かって開口した回動軸部挿通溝２４、及び円柱状支持部１１が埋設された円柱状空洞部２６が備えられている。また、コンクリートブロックＡに接合される他方のコンクリートブロックＢには、連結面２１と露出面２３とに向かって開口した回動軸部挿通溝２５、及び露出面２３側に開口した掛止受部２７を有している。
【００１０】
以下、コンクリートブロックの連結構造の製造方法について説明する。
このようなコンクリートブロックＡは、円柱状支持部１１を埋設し、さらに回動軸部挿通溝２４を形成させるためのゴム、プラスチック、木製等の素材からなる取り外しが容易な矩形状型枠を円柱状支持部１１に接触させ、前記矩形状型枠の端部が露出するような状態で所定位置に配置し、生コンクリートを型枠に流し込んで生コンクリートを硬化させた後、前記矩形状型枠を破壊したり、取り外したりすることで空洞を形成して製造することができる。
また、コンクリートブロックＢは、回動軸部挿通溝２５を形成させるためのプラスチック製等の矩形状型枠部と、一端が露出面２３側に当接するようにした略直方体状の掛止受部形成用型枠部とを所定位置に一体又は取り外し可能に配置し、生コンクリートを型枠に流し込んで生コンクリートを硬化させた後、前記矩形状型枠及び掛止受部形成用型枠を破壊したり、取り外したりすることにより形成させることができる。
【００１１】
次に以上のコンクリートブロック連結用部材１０を用いてコンクリートブロックの連結構造２０を形成させる方法について図面を参照しながら説明する。
図３（ａ），（ｂ），（ｃ）はコンクリートブロックの連結構造を形成する場合における作業手順の模式図である。
まず、図３（ａ）に示すように、コンクリートブロックＡとコンクリートブロックＢをそれぞれ所定位置に配置する。このとき、コンクリートブロックＡの露出面２２側に開口して形成された回動軸部挿通溝２４から回動軸部１２の基端側を円柱状支持部１１に予め形成された雌螺子部１１’等に螺合させて取り付けることができる。この場合、円柱状支持部１１の周囲に雌螺子部１１’を複数個形成させておくことにより、回動軸部１２の基端側１２’を容易に円柱状支持部１１にねじ込むことができる。また、雌螺子部１１’の変わりに凹部を複数個形成させておき、ドライバーの先などを凹部に差し込み円柱状支持部１１を回転させて、回動軸部１２をねじ込み易い位置に雌螺子部１１’をあわせることもできる。
なお、回動軸部１２を円柱状支持部１１に取り付ける際の別法としては、円柱状支持部１１の予め溶接手段などで固定して取り付けておくこともできる。
次に、図３（ａ）に示す状態のように、この回動軸部１２を露出面２２側に突出するように円柱状支持部１１を回動させて配置する。そして、図３（ｂ）に示すようにコンクリートブロックＡとコンクリートブロックＢをそれぞれ連結面２１を介して当接させて位置決めし、回動軸部１２の先端側にナット、ワッシャなどからなる掛止部１３を装着する。
図３（ｃ）においては、回動軸部１２を矢印Ｐの方向に回動させてコンクリートブロックＢの回動軸部挿通溝２５に挿入して、回動軸部１２に取り付けられた掛止部１３を掛止受部２７の端部２７’に掛止させる。次に、掛止部１３をラチェットなどの工具を用いて締め込んで移動させ、円柱状支持部１１及び掛止部１３間の距離を狭めることにより、コンクリートブロックＡ、Ｂを連結固定する。
【００１２】
実施の形態１のコンクリートブロック連結用部材及びコンクリートブロックの連結構造は以上のように構成されているので、以下の作用を有する。
（ａ）コンクリートブロックＡに埋設された円柱状支持部１１を介して回動自在に固定された回動軸部１２を回動させることにより、コンクリートブロックＢの掛止受部２７にその掛止部１３を掛止させることができ、施工時における両ブロック同士の位置合わせ、連結を容易に行なうことができる。
（ｂ）円柱状支持部１１がコンクリートブロックＡ内に埋設されているので、強度面や外観上の制約が少なく構造体として必要な強度を維持させることができる。
（ｃ）コンクリートブロックＡ、Ｂにそれぞれ回動軸部挿通溝２４、２５が設けられ、回動軸部１２がコンクリートブロックＡに埋設された円柱状支持部１１を支点として回動でき、コンクリートブロックＡ、Ｂのそれぞれの連結面２１を互いに当接させて、回動軸部１２を回動させることにより掛止部１３が螺着された回動軸部１２の先端側をコンクリートブロックＢの掛止受部２７に押し入れて掛止させた後、掛止部１３を回転させて掛止部１３と円柱状支持部１１間の距離を狭めて締めることでコンクリートブロックＡ、Ｂを互いに強固に締結できる。
（ｄ）連結固定用の部材を外部に露出させることなく、円柱状支持部１１及び回動軸部１２、掛止部１３からなるコンクリートブロック連結用部材１０がすべてコンクリートブロックＡ、Ｂ内に収納されているので、コンパクトな連結コンクリートブロックを形成でき、また、外観が損なわれたり、ごみなどが堆積したりするのを防止できる。
（ｅ）コンクリートブロック連結用部材１０がコンクリートブロック内に配置されているので、現場におけるコンクリートブロック同士の連結作業を迅速に行なうことができる。
【００１３】
（実施の形態２）
本発明の実施の形態２のコンクリートブロック連結用部材を用いるコンクリートブロックの接合構造について説明する。
図４（ａ），（ｂ）は実施の形態２のコンクリートブロックの連結構造の、それぞれ正面図、及び正面図におけるＹ−Ｙ断面矢視図である。
図４（ａ），（ｂ）において、３０はコンクリートブロック連結用部材１０を用いたコンクリートブロックの連結構造を示し、３１はコンクリートブロックＢに配設され、コンクリートブロック連結用部材１０の掛止部１３が掛止される、図面上において手前側に開口した箱状空洞部を有した掛止受部であり、３２は、前記実施の形態１で示した掛止受部２７の端部２７’に相当し、掛止部１３が当接される前記箱状空洞部の内側壁が奥側に広がって形成された傾斜面である。
なお、実施の形態１と同様の機能を有するものについては、同一の符号を付してその詳しい説明を省略する。
【００１４】
コンクリートブロックの連結構造３０の掛止受部３１は、その箱状空洞部の内側壁が奥側に広がって逆テーパ状に傾斜された傾斜面３２を有するので、この傾斜面３２に当接して掛止されるナット等の掛止部１３が回動軸部１２に締め付け固定された時に、掛止部１３が掛止受部３１の奥側（図４（ｂ）の矢印Ｑで示す）に移動するように力が作用し手前側（図４（ｂ）の矢印Ｒで示す）に外れるようなことがなく、コンクリートブロックＡ、Ｂ同士の連結構造をより確実に保持させることができる。
【００１５】
このような構造の掛止受部３１は、コンクリートブロックＢの型枠に、ゴム、木材、ポリスチレン等の発泡樹脂、等の弾性部材でその一部又は全部が構成された内部型枠を配置し、生コンクリートの硬化後にこれを破砕して取り外すことで形成させることができる。
なお、円柱状支持部１１をコンクリートブロックＡに埋設させる場合には、生コンクリートの鋳込み後に、円柱状支持部１１が回転自在になるように円柱状の周囲に所定厚み、例えば１〜５ｍｍの厚さの紙や、合成樹脂製のフィルムなどを巻いて被覆層を形成しておき、コンクリートが固化した後にコンクリートとの間に隙間を形成させて、円柱状支持部１１が回転できるようにする。また、グリス、コールタール、グリセリンなどを円柱状支持部１１の周囲に形成して被覆層を形成させて鋳込みコンクリートとの密着防止を図ることもできる。
【００１６】
コンクリート鋳込み時には、円柱状支持部１１に予め形成されている回動軸部１２の基端部１２’が螺着されるネジ孔１５内に生コンクリートが流入しないようにそのネジ孔１５を塞いでおくことが好ましい。
また、コンクリートブロックＡ及びＢの型枠内には、前記回動軸挿通溝２４，２５をそれぞれ形成させるため、ゴム、木材、ポリスチレン等の発泡樹脂、等の弾性部材でその一部又は全部が構成された内部型枠を配置し、生コンクリートの硬化後にこれを破砕して取り外すことで形成させる。
【００１７】
そして、コンクリートブロックＡ，Ｂを前記コンクリートブロック連結用部材１０を用いてコンクリートブロックの連結構造３０を形成させることができる。図５は、コンクリートブロックの連結構造３０の構造の概略斜視図である。図５では、コンクリートブロック連結用部材１０は図面手前側にのみ示されているが、図示はしていないが、コンクリートブロックの向こう側にも同じようなコンクリートブロック連結用部材１０を設けて、コンクリートブロックの両側で両ブロックを連結固定させることもできる。
【００１８】
本発明のコンクリートブロックの連結構造は、図６に示すように、コンクリートブロックＡ，Ｂの組合せを多数連結させることで、多数個のコンクリートブロック連結体を形成させることができる。例えば、コンクリート側溝を連結させたものである。
さらに、コンクリートブロックの上下、左右にそれぞれ本発明の連結用部材を用いて、横方向、縦方向に連結させることもできる。このようなコンクリートブロックＡ，Ｂの組合せを上下、左右に連結させることで、広い面積を有するコンクリートブロック壁を形成することもできる。例えば、護岸ブロックを形成することができる。
【００１９】
【発明の効果】
本発明によれば、施工時におけるブロック間の位置合わせ等が容易にでき作業性に優れ、強度面や外観上の制約が少なく、構造体として必要な強度を維持させることができる。即ち、コンクリートブロック連結用部材の回動軸部を回動させて、他方のコンクリートブロックの掛止受部にその掛止部を掛止させることができブロック間の連結作業を容易にできる。また、円柱状支持部がコンクリートブロック内に埋設されるので、強度面や外観上の制約が少なく構造体として必要な強度を維持させることができるコンクリートブロックの連結構造を提供できると共に、連結機構を有したコンクリートブロックを容易に製造できる。
さらに、本発明のコンクリートブロックを多数連結させることで、広面積を有するコンクリートブロック壁を形成させることができる。
【図面の簡単な説明】
【図１】実施の形態１のコンクリートブロック連結用部材の平面図である。
【図２】（ａ）は実施の形態１のコンクリートブロックの連結構造の正面図であり、（ｂ）は正面図におけるＸ−Ｘ断面矢視図である。
【図３】コンクリートブロックの連結構造における作業手順の模式説明図である。
【図４】（ａ）は実施の形態２のコンクリートブロックの連結構造の正面図であり、（ｂ）は正面図におけるＹ−Ｙ断面矢視図である。
【図５】コンクリートブロックの連結構造３０の構造の概略斜視図である。
【図６】コンクリートブロックＡ，Ｂの組合せを多数連結させたコンクリートブロック連結体を示す概略図である。
【符号の説明】
１０：  コンクリートブロック連結用部材
１１：  円柱状支持部
１２：  回動軸部
１３：  掛止部
２０：  コンクリートブロックの連結構造
２１：  連結面
２２：  露出面
２３：  露出面
２４：  回動軸部挿通溝
２５：  回動軸部挿通溝
２６：  円柱状空洞部
２７：  掛止受部
３０：  コンクリートブロックの連結構造
３１：  掛止受部
３２：  傾斜面
【図１】
0003922429.tif 000002
【図２】
0003922429.tif 000003
【図３】
0003922429.tif 000004
【図４】
0003922429.tif 000005
【図５】
0003922429.tif 000006
【図６】
0003922429.tif 000007